(57)【要約】本発明は、液晶表示装置の起動時における表示上の不具合の防止のための表示ＯＮシーケンスにおいて走査信号線への電圧印加によって走査信号線駆動回路で生じる誤動作の防止を目的とする。  アクティブマトリクス型の液晶表示装置の起動時における表示ＯＮシーケンスにおいて、液晶パネルの全ての走査信号線を選択状態として各画素形成部内の液晶容量および補助容量における電荷をデータ信号線を介して放電させた後、表示のための走査信号線の順次的な選択（走査）を開始する前に、走査信号線を複数回に分けて段階的に非選択状態とする。これにより、全ての走査信号線を同時に非選択状態としていた従来に比べ、走査信号線駆動回路のバルクに流れる電流が低減される。  本発明は、アクティブマトリクス型の液晶表示装置に適用されるものであり、より詳しくは、その駆動回路に適用される。【特許請求の範囲】
【請求項１】
複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行う駆動回路であって、
前記液晶表示装置での表示の開始を指示する信号を受け取ると、前記複数の走査信号線を選択状態とする選択設定部と、
前記選択設定部によって前記複数の走査信号線が選択状態とされているときに、前記複数の画素形成部内の前記容量に蓄積された電荷を前記複数のデータ信号線を介して放電させる放電部と、
前記蓄積された電荷の前記放電部による放電の後、記複数の走査信号線の順次的な選択が開始される前に、前記選択設定部により選択状態とされた前記複数の走査信号線を段階的に非選択状態とする選択解除部とを備えることを特徴とする駆動回路。
【請求項２】
前記選択解除部は、前記複数の走査信号線をグループ化することにより得られる複数組の走査信号線群を１組ずつ段階的に非選択状態とすることを特徴とする、請求項１に記載の駆動回路。
【請求項３】
前記選択解除部は、前記液晶表示装置における表示のための１水平走査期間の間隔で複数回に分けて前記複数の走査信号線を段階的に非選択状態とすることを特徴とする、請求項１に記載の駆動回路。
【請求項４】
前記選択解除部は、前記液晶表示装置における表示のための１垂直走査期間の間隔で複数回に分けて前記複数の走査信号線を段階的に非選択状態とすることを特徴とする、請求項１に記載の駆動回路。
【請求項５】
前記選択設定部は、前記複数の走査信号線を段階的に選択状態とすることを特徴とする、請求項１から請求項４までのいずれか１項に記載の駆動回路。
【請求項６】
前記選択設定部は、前記複数の走査信号線をグループ化することにより得られる複数組の走査信号線群を１組ずつ段階的に選択状態とすることを特徴とする、請求項５に記載の駆動回路。
【請求項７】
請求項１から請求項４までのいずれか１項に記載の駆動回路を備えることを特徴とする液晶表示装置。
【請求項８】
請求項５に記載の駆動回路を備えることを特徴とする液晶表示装置。
【請求項９】
複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行うための駆動方法であって、
前記液晶表示装置での表示の開始を示す信号を受け取ると、前記複数の走査信号線を選択状態とする選択設定ステップ、
前記選択設定ステップによって前記複数の走査信号線が選択状態とされているときに、前記複数の画素形成部内の前記容量に蓄積された電荷を前記複数のデータ信号線を介して放電させる放電ステップと、
前記蓄積された電荷の前記放電ステップによる放電の後、前記複数の走査信号線の順次的な選択が開始される前に、前記選択設定ステップにより選択状態とされた前記複数の走査信号線を段階的に非選択状態とする選択解除ステップと
を備えることを特徴とする駆動方法。
【請求項１０】
前記選択解除ステップでは、前記複数の走査信号線をグループ化することにより得られる複数組の走査信号線群が１組ずつ段階的に非選択状態とされることを特徴とする、請求項９に記載の駆動方法。
【請求項１１】
前記選択設定ステップでは、前記複数の走査信号線が段階的に選択状態とされることを特徴とする、請求項９または請求項１０に記載の駆動方法。
【請求項１２】
前記選択設定ステップでは、前記複数の走査信号線をグループ化することにより得られる複数組の走査信号線群が１組ずつ段階的に選択状態とされることを特徴とする、請求項１１に記載の駆動方法。
【発明の詳細な説明】
【技術分野】
【０００１】  本発明は、アクティブマトリクス型液晶表示装置の駆動回路および駆動方法に関し、更に詳しくは、アクティブマトリクス型液晶表示装置の画素容量に蓄積される電荷を当該表示装置の起動時に放電させるための駆動回路および駆動方法に関する。
【背景技術】
【０００２】  従来のアクティブマトリクス型の液晶パネルは、液晶層を挟む２枚の透明基板のうちの一方の基板上に、複数のデータ信号線（以下「ソースライン」ともいう）と当該複数のデータ信号線に交差する複数の走査信号線（以下「ゲートライン」ともいう）とを形成し、各交差点に対応して形成される画素形成部をマトリクス状に配置した構成となっている。そして、各画素形成部は、それに対応する交差点を通過するデータ信号線にスイッチング素子としてのＴＦＴ（Ｔｈｉｎ  Ｆｉｌｍ  Ｔｒａｎｓｉｓｔｏｒ）を介して接続された画素電極を含み、そのＴＦＴのゲート端子は、その交差点を通過する走査信号線に接続されている。そして他方の透明基板には、上記複数の画素電極に共通の電極（以下「共通電極」という）が形成されている。このような構成のパネルを使用する液晶表示装置は、その液晶パネルに画像を表示させるための駆動回路として、上記複数の走査信号線を順次に選択するための走査信号を上記複数の走査信号線に印加する走査信号線駆動回路（「ゲートドライバ」とも呼ばれる）と、上記液晶パネルにおける各画素形成部にデータを書き込むために上記複数のデータ信号線にデータ信号を印加するデータ信号線駆動回路（「ソースドライバ」とも呼ばれる）とを備えている。【０００３】  このような液晶表示装置において表示すべき画像は、上記マトリクス状に配置された複数の画素形成部によって形成される。各画素形成部は、図１１（Ａ）に示すような回路構成であって、液晶層を挟むように配置される画素電極と共通電極Ｅｃとによって形成される容量（「液晶容量」という）Ｃｌｃと、当該画素電極と補助電極Ｅｓとによって形成される容量（以下「補助容量」という）Ｃｓと、当該画素電極にドレイン端子が接続されたＴＦＴ１０とを有しており、当該ＴＦＴ１０のソース端子は当該画素形成部に対応する交差点ＣＰｊｋを通過するデータ信号線ＤＬｋに、ゲート端子は当該交差点ＣＰｊｋを通過する走査信号線ＧＬｊにそれぞれ接続されている。なお、表示すべき画像の画素値に相当する電圧を保持するための画素容量は液晶容量Ｃｌｃと補助容量Ｃｓとからなる。【０００４】  このような液晶表示装置において、各画素形成部内のＴＦＴ１０を介してデータ信号線ＤＬｋから画素電極にデータ信号Ｄｋを供給することにより、各画素電極と共通電極Ｅｃおよび補助電極Ｅｓとの間に当該画素電極に対応する画素の値に相当する電圧が印加されて液晶容量Ｃｌｃおよび補助容量Ｃｓが充電され、その充電電圧に応じて液晶層の透過率が変化することにより、上記液晶パネルに画像が表示される。【０００５】  ところで、このような液晶表示装置を起動する際の問題として、液晶表示装置の起動後、走査信号線を順次的に選択して上記複数の画素形成部に画像を形成させる前に（すなわち表示の開始前に）、共通電極Ｅｃと補助電極Ｅｓとが所定の電位に立ち上がり、両電極の間の電位差に応じて液晶容量Ｃｌｃや補助容量Ｃｓが充電され（図１１（Ｂ））、予定外の黒い画面（ノーマリ・ホワイトの場合）、または白い画面（ノーマリ・ブラックの場合）が表示されてしまうという現象が知られている。【０００６】  この問題を解決するための従来技術として、表示を開始す���直前に、一旦、全ての走査信号線にアクティブ信号としてのオン電圧を印加することによりＴＦＴをオン状態とし、データ信号線ＤＬｋを通じて液晶容量Ｃｌｃと補助容量Ｃｓにおける蓄積電荷を放電させる、という方法が知られている（図１１（Ｃ））（例えば特許文献１〜４参照）。【０００７】  図１２は、このような方法が採用されている場合に液晶表示装置を起動してから表示を開始するまでの一連の動作（以下「表示ＯＮシーケンス」という）を示す信号波形図である。この方法では、当該液晶表示装置における電源投入の検出などに基づき、表示ＯＮシーケンスの開始を示す信号として表示ＯＮ信号Ｓｏｎが生成され、この表示ＯＮ信号Ｓｏｎがアクティブ（図ではハイレベル）になると、垂直同期信号ＶＳＹに同期して、全ての走査信号線にオン電圧（ＴＦＴをオン状態とするアクティブ信号）を印加して一旦選択状態とし（時刻ｔ１）、その後、走査信号線により通常の走査を行う前に全ての走査信号線にオフ電圧（ＴＦＴをオフ状態とする非アクティブ信号）を印加して非選択状態に戻している（時刻ｔ２）。このように従来技術では、表示ＯＮシーケンスにおいて全ての走査信号線を選択状態から非選択状態にする際に、全ての走査信号線に同時にオフ電圧を印加していた。このような技術を含む本願発明に関連する技術が記載された文献を以下に列記する。
【特許文献１】日本特開平２−２７２４９０号公報
【特許文献２】日本特開２００１−２７２６５０号公報
【特許文献３】日本特開２００２−３２３８７５号公報
【特許文献４】日本特開２００３−２９５８２９号公報
【特許文献５】日本特開平６−１６０８０６号公報
【発明の開示】
【発明が解決しようとする課題】
【０００８】  しかし、上記のように全ての走査信号線を同時に選択状態から非選択状態にすると、全ての走査信号線が同時に高電圧（オン電圧）から低電圧（オフ電圧）へと変化するので、走査信号線駆動回路内のバルク（シリコン基板）に全走査信号線の容量に対応する電流が流れて、バルク自体の電位が大きく変動し、それに連動して走査信号線駆動回路の電源電位も大きく変動することにより、走査信号線駆動回路が誤動作を起こすことがある。【０００９】  そこで本発明は、液晶表示装置において起動時に実行される表示ＯＮシーケンスにおける上記のような走査信号線への電圧印加により走査信号線駆動回路に生じる誤動作を防止できる駆動回路および駆動方法を提供することを目的とする。
【課題を解決するための手段】
【００１０】  本発明の第１の局面は、複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行う駆動回路であって、
前記液晶表示装置での表示の開始を指示する信号を受け取ると、前記複数の走査信号線を選択状態とする選択設定部と、
前記選択設定部によって前記複数の走査信号線が選択状態とされているときに、前記複数の画素形成部内の前記容量に蓄積された電荷を前記複数のデータ信号線を介して放電させる放電部と、
前記蓄積された電荷の前記放電部による放電の後、記複数の走査信号線の順次的な選択が開始される前に、前記選択設定部により選択状態とされた前記複数の走査信号線を段階的に非選択状態とする選択解除部とを備えることを特徴とする。【００１１】  本発明の第２の局面は、本発明の第１の局面において、
前記選択解除部は、前記複数の走査信号線をグループ化することにより得られる複数組の走査信号線群を１組ずつ段階的に非選択状態とすることを特徴とする。【００１２】  本発明の第３の局面は、本発明の第１の局面において、
前記選択解除部は、前記液晶表示装置における表示のための１水平走査期間の間隔で複数回に分けて前記複数の走査信号線を段階的に非選択状態とすることを特徴とする。【００１３】  本発明の第４の局面は、本発明の第１の局面において、
前記選択解除部は、前記液晶表示装置における表示のための１垂直走査期間の間隔で複数回に分けて前記複数の走査信号線を段階的に非選択状態とすることを特徴とする。【００１４】  本発明の第５の局面は、本発明の第１から第４の局面のいずれかにおいて、
前記選択設定部は、前記複数の走査信号線を段階的に選択状態とすることを特徴とする。【００１５】  本発明の第６の局面は、本発明の第５の局面において、
前記選択設定部は、前記複数の走査信号線をグループ化することにより得られる複数組の走査信号線群を１組ずつ段階的に選択状態とすることを特徴とする。【００１６】  本発明の第７の局面は、液晶表示装置であって、本発明の第１から第４の局面のいずれかの局面に係る駆動回路を備えたことを特徴とする。【００１７】  本発明の第８の局面は、液晶表示装置であって、本発明の第５の局面に係る駆動回路を備えたことを特徴とする。【００１８】  本発明の第９の局面は、複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行うための駆動方法であって、
前記液晶表示装置での表示の開始を示す信号を受け取ると、前記複数の走査信号線を選択状態とする選択設定ステップ、
前記選択設定ステップによって前記複数の走査信号線が選択状態とされているときに、前記複数の画素形成部内の前記容量に蓄積された電荷を前記複数のデータ信号線を介して放電させる放電ステップと、
前記蓄積された電荷の前記放電ステップによる放電の後、前記複数の走査信号線の順次的な選択が開始される前に、前記選択設定ステップにより選択状態とされた前記複数の走査信号線を段階的に非選択状態とする選択解除ステップとを備えることを特徴とする。【００１９】  本発明の第１０の局面は、本発明の第９の局面において、
前記選択解除ステップでは、前記複数の走査信号線をグループ化することにより得られる複数組の走査信号線群が１組ずつ段階的に非選択状態とされることを特徴とする。【００２０】  本発明の第１１の局面は、本発明の第９または第１０の局面において、
前記選択設定ステップでは、前記複数の走査信号線が段階的に選択状態とされることを特徴とする。【００２１】  本発明の第１２の局面は、本発明の第１１の局面において、
前記選択設定ステップでは、前記複数の走査信号線をグループ化することにより得られる複数組の走査信号線群が１組ずつ段階的に選択状態とされることを特徴とする。
【発明の効果】
【００２２】  本発明の第１または第９の局面によれば、液晶表示装置での表示が開始される際に、全ての走査信号線が選択状態とされて各画素形成部内の容量における蓄積電荷が放電され、その後、選択状態となっている走査信号線が段階的に非選択状態とされる。このようして全ての走査信号線が非選択状態とされた後に、表示のための走査信号線の順次的な選択すなわち走査が開始される。したがって、一旦選択状態とされた走査信号線が同時に非選択状態とされていた従来とは異なり、選択状態から非選択状態への推移のための印加電圧の変化が同時に生じる走査信号線の数が格段に少なくなる。このため、走査信号線駆動回路を構成するバルク（シリコン基板）に過大な電流が流れることはなく、走査信号線を非選択状態とする際に走査信号線駆動回路内のバルクに流れる電流による電源電位の変動が抑制される。その結果、液晶表示装置の起動時において表示上の不具合を防止すべく行われる放電のための一連の動作すなわち表示ＯＮシーケンスにおいて、ラッチアップの発生等による走査信号線駆動回路の誤動作を防止することができる。【００２３】  本発明の第２または第１０の局面によれば、液晶表示装置における走査信号線をグループ化することにより得られる複数組の走査信号線群が１組ずつ段階的に非選択状態とされるので、選択解除部を簡易な構成で実現することができる。【００２４】  本発明の第３の局面によれば、１水平走査期間の間隔で複数回に分けて走査信号線を段階的に非選択状態とすることで、走査信号線を非選択状態とする際に走査信号線駆動回路内のバルクに流れる電流による電源電位の変動を抑制し、表示ＯＮシーケンスにおいて、ラッチアップの発生等による走査信号線駆動回路の誤動作を防止することができる。【００２５】  本発明の第４の局面によれば、１垂直走査期間の間隔で複数回に分けて走査信号線を段階的に非選択状態とすることで、走査信号線を非選択状態とする際に走査信号線駆動回路内のバルクに流れる電流による電源電位の変動を抑制し、表示ＯＮシーケンスにおいてラッチアップの発生等による走査信号線駆動回路の誤動作を防止することができる。なお、１垂直走査期間の間隔で段階的に走査信号線が非選択状態とされるので、１水平走査期間の間隔で段階的に非選択状態とされる場合に比べ、表示ＯＮシーケンスが長くなるが、選択解除部の実現は容易となる。【００２６】  本発明の第５または第１１の局面によれば、液晶表示装置での表示の開始を指示する信号を受け取ると、当該液晶表示装置の走査信号線が段階的に選択状態とされるので、走査信号線を選択状態とする際に走査信号線駆動回路内のバルクに流れる電流による電源電位の変動も抑制される。したがって、表示ＯＮシーケンスにおいてラッチアップの発生等による走査信号線駆動回路の誤動作をより確実に防止することができる。【００２７】  本発明の第６または第１２の局面によれば、液晶表示装置における走査信号線をグループ化することにより得られる複数組の走査信号線群が１組ずつ段階的に選択状態とされるので、走査信号線を段階的に選択状態とするための選択設定部を簡易な構成で実現することができる。
【図面の簡単な説明】
【００２８】
【図１】本発明の第１の実施形態に係る液晶表示装置の構成を示すブロック図である。
【図２】第１の実施形態における液晶表示パネルの構成を示す模式図（Ａ）、および、当該液晶表示パネルの一部（１画素に相当する部分）の等価回路を示す回路図（Ｂ）である。
【図３】第１の実施形態における表示ＯＮシーケンスの一例を説明するための信号波形図（Ａ〜Ｉ）である。
【図４】第１の実施形態における表示ＯＮシーケンスの他の例を説明するための信号波形図（Ａ、Ｂ）である。
【図５】第１の実施形態における走査信号線駆動回路の一構成例を示すブロック図である。
【図６】本発明の第２の実施形態における表示ＯＮシーケンスの一例を説明するための信号波形図（Ａ〜Ｈ）である。
【図７】第２の実施形態における走査信号線駆動回路の一構成例を示すブロック図である。
【図８】本発明の第３の実施形態における走査信号線駆動回路の一構成例を示すブロック図である。
【図９】本発明の第４の実施形態における表示ＯＮシーケンスの一例を説明するための信号波形図（Ａ〜Ｊ）である。
【図１０】第４の実施形態における走査信号線駆動回路の一構成例を示すブロック図である。
【図１１】液晶表示装置の起動時における表示の不具合を説明するための回路図（Ａ〜Ｃ）である。
【図１２】液晶表示装置における従来の表示ＯＮシーケンスを説明するための信号波形図（Ａ〜Ｆ）である。
【符号の説明】
【００２９】  １０          …ＴＦＴ（薄膜トランジスタ）
３３，３３ｂ  …リセット信号生成回路
３３ｃ        …セット信号生成回路
３４，３４ｂ  …ＡＮＤゲート
３５          …シフトレジスタ
３８          …ＡＮＤゲート
２００        …表示制御回路
３００        …データ信号線駆動回路
４００        …走査信号線駆動回路
５００        …液晶パネル
Ｃｌｃ        …液晶容量
Ｃｓ          …補助容量
Ｅｐ          …画素電極
Ｅｃ          …共通電極
Ｅｓ          …補助電極
ＤＬ１〜ＤＬｎ  …データ信号線
ＧＬ１〜ＧＬｍ  …走査信号線
Ｐｘ          …画素形成部
ＨＳＹ          …水平同期信号
ＶＳＹ          …垂直同期信号
Ｄ              …デジタル画像信号
Ｄ１〜Ｄｍ      …データ信号
ＧＣＫ        …（走査信号線駆動回路の）クロック信号
ＧＳＰ        …（走査信号線駆動回路の）スタートパルス信号
Ｇｏｎ        …選択制御信号
Ｇｏｆｆ      …非選択制御信号
Ｇ１〜Ｇｍ        …走査信号
Ｇａ１〜Ｇａ４  …第１〜第４エリア走査信号
Ｒ１〜Ｒ４      …リセット信号
Ｓ１〜Ｓ４      …セット信号
Ｓｏｎ        …表示ＯＮ信号
ＶＧＬ          …ゲートオフ電圧
ＶＧＨ          …ゲートオン電圧
【発明を実施するための最良の形態】
【００３０】  以下、本発明の実施形態について添付図面を参照して説明する。
＜１．第１の実施形態＞
＜１．１  全体の構成および動作＞
図１は、本発明の第１の実施形態に係る液晶表示装置の構成を示すブロック図である。この液晶表示装置は、表示制御回路２００と、データ信号線駆動回路３００および走査信号線駆動回路４００からなる駆動回路と、アクティブマトリクス型の液晶パネル５００とを備えている。【００３１】  この液晶表示装置における表示部としての液晶パネル５００は、この液晶表示装置を使用する電子機器の制御部等に相当する外部のＣＰＵ等から受け取る画像データＤｖにおける１水平走査分のデータにそれぞれが対応する複数本の走査信号線と、それら複数本の走査信号線のそれぞれと交差する複数本のデータ信号線と、それら複数本の走査信号線と複数本のデータ信号線との交差点にそれぞれ対応して設けられた複数の画素形成部とを含む。各画素形成部の構成は、基本的には従来のアクティブマトリクス型液晶パネルにおける構成と同様である。【００３２】  本実施形態では、液晶パネル５００に表示すべき画像を表す（狭義の）画像データおよび表示動作のタイミング等を決めるデータ（例えば表示用クロックの周波数を示すデータ）（以下「表示制御データ」という）は、本実施形態に係る液晶表示装置の外部、例えば当該液晶表示装置を使用する電子機器の制御部としてのＣＰＵ等（以下「外部のＣＰＵ等」という）から表示制御回路２００に送られる（以下、外部から送られるこれらのデータＤｖを「広義の画像データ」という）。すなわち、外部のＣＰＵ等は、広義の画像データＤｖを構成する（狭義の）画像データおよび表示制御データとアドレス信号ＡＤｗとを表示制御回路２００に供給して、表示制御回路２００内の表示メモリおよびレジスタにそれぞれ書き込む。【００３３】  表示制御回路２００は、レジスタに書き込まれた表示制御データに基づき、表示用のクロック信号ＣＫや、水平同期信号ＨＳＹ、垂直同期信号ＶＳＹ等を生成する。また、表示制御回路２００は、外部のＣＰＵ等によって表示メモリに書き込まれた（狭義の）画像データを表示メモリから読み出して、デジタル画像信号Ｄとして出力する。このようにして、表示制御回路２００によって生成される信号のうち、クロック信号ＣＫはデータ信号線駆動回路３００に、水平同期信号ＨＳＹおよび垂直同期信号ＶＳＹはデータ信号線駆動回路３００および走査信号線駆動回路４００に、デジタル画像信号Ｄはデータ信号線駆動回路３００に、それぞれ供給される。また、表示制御回路２００は、外部のＣＰＵ等から当該液晶表示装置での表示の開始を指示する信号として表示ＯＮ信号Ｓｏｎを受け取り、その表示ＯＮ信号Ｓｏｎをデータ信号線駆動回路３００および走査信号線駆動回路４００に供給する。なお、当該液晶表示装置での表示の開始を指示する信号を当該液晶表示装置の外部から受け取らずに、表示制御回路２００において、当該液晶表示装置の電源の投入等の検出に基づき、表示の開始を示す信号を生成し、これを上記の表示ＯＮ信号Ｓｏｎとしてデータ信号線駆動回路３００および走査信号線駆動回路４００に供給するようにしてもよい。【００３４】  データ信号線駆動回路３００には、上記のようにして、液晶パネル５００に表示すべき画像を表すデータが画素単位でシリアルにデジタル画像信号Ｄとして供給されると���に、タイミングを示す信号としてクロック信号ＣＫ、水平同期信号ＨＳＹおよび垂直同期信号ＶＳＹが供給される。データ信号線駆動回路３００は、これらの信号Ｄ，ＣＫ，ＨＳＹ，ＶＳＹに基づき、液晶パネル５００を駆動するための画像信号（以下「データ信号」という）を生成し、これを液晶パネル５００の各データ信号線に印加する。なお後述のように、データ信号線駆動回路３００は、表示ＯＮシーケンスにおいては、表示ＯＮ信号Ｓｏｎに基づき、各画素容量の蓄積電荷を放電するための放電部として動作する。【００３５】  走査信号線駆動回路４００は、水平同期信号ＨＳＹおよび垂直同期信号ＶＳＹに基づき、液晶パネル５００における走査信号線を１水平走査期間ずつ順次に選択するために各走査信号線に印加すべき走査信号（Ｇ１，Ｇ２，……）を生成し、全走査信号線のそれぞれを順に選択するためのアクティブな走査信号の各走査信号線への印加を１垂直走査期間（１フレーム期間）を周期として繰り返す。なお後述のように、走査信号線駆動回路４００は、上記の順次的な走査信号線の選択すなわち走査を開始する前の表示ＯＮシーケンスにおいて、表示ＯＮ信号Ｓｏｎに基づき、各画素容量の蓄積電荷を放電するための走査信号線の選択動作および選択解除動作を行う。【００３６】  液晶パネル５００は、上記のようにして、データ信号線にはデータ信号線駆動回路３００によってデジタル画像信号Ｄに基づくデータ信号が印加され、走査信号線には走査信号線駆動回路４００によって走査信号が印加される。これにより液晶パネル５００は、外部のＣＰＵ等から受け取った画像データＤの表す画像を表示する。【００３７】  図２（Ａ）は、本実施形態に係る液晶表示装置における液晶パネル５００の構成を示す模式図であり、図２（Ｂ）は、この液晶パネル５００の一部（１画素に相当する部分）の等価回路を示す回路図である。これらの図において、Ｄ１，Ｄ２，Ｄ３，…は、データ信号線ＤＬ１，ＤＬ２，ＤＬ３，…にそれぞれ印加されるデータ信号を表す。また、Ｇ１，Ｇ２，Ｇ３，…は、走査信号線ＧＬ１，ＧＬ２，ＧＬ３，…にそれぞれ印加される走査信号を表す。【００３８】  この液晶パネル５００は、データ信号線駆動回路３００の複数（ｎ個）の出力端子にそれぞれ接続される複数（ｎ本）のデータ信号線ＤＬ１〜ＤＬｎと、走査信号線駆動回路４００の複数（ｍ個）の出力端子にそれぞれ接続される複数（ｍ本）の走査信号線ＧＬ１〜ＧＬｍとを備え、当該複数のデータ信号線ＤＬ１〜ＤＬｎと当該複数の走査信号線ＧＬ１〜ＧＬｍとは、各データ信号線ＤＬｋ（ｋ＝１，２，…，ｎ）と各走査信号線ＧＬｊ（ｊ＝１，２，…，ｍ）とが交差するように格子状に配設されている。そして、当該複数のデータ信号線ＤＬ１〜ＤＬｎと当該複数の走査信号線ＧＬ１〜ＧＬｍとの交差点にそれぞれ対応してマトリクス状に配置された複数（ｍ×ｎ個）の画素形成部Ｐｘが設けられている。各画素形成部Ｐｘは、図２（Ｂ）に示すように、従来と同様、液晶層を挟むように配置される画素電極Ｅｐと共通電極Ｅｃとによって形成される液晶容量Ｃｌｃと、当該画素電極Ｅｐと補助電極Ｅｓとによって形成される補助容量Ｃｓと、当該画素電極Ｅｐにドレイン端子が接続されたＴＦＴ１０とを有しており、当該ＴＦＴ１０のソース端子は当該画素形成部Ｐｘに対応する交差点ＣＰｊｋを通過するデータ信号線ＤＬｋに、ゲート端子は当該交差点ＣＰｊｋを通過する走査信号線ＧＬｊにそれぞれ接続されている。したがって、各画素形成部Ｐｘは、それに対応する交差点ＣＰｊｋを通過する走査信号線ＧＬｊが選択されているときに（走査信号Ｇｊがアクティブのときに）、当該交差点ＣＰｊｋを通過するデータ信号線ＤＬｋ上のデータ信号Ｄｋの値すなわち画素値に相当する電圧を取り込み、上記液晶容量Ｃｌｃと補助容量Ｃｓとからなる画素容量に当該電圧を保持する。【００３９】＜１．２  表示ＯＮシーケンス＞
以下、図３を参照しつつ、本実施形態に係る液晶表示装置を起動してから走査信号線ＧＬ１〜ＧＬｍを順次に選択して表示を開始するまでに実行される一連の動作、すなわち表示ＯＮシーケンスを説明する。図３は、本実施形態に係る液晶表示装置を起動した直後の垂直同期信号ＶＳＹ、ゲートオフ電圧ＶＧＬ、ゲートオン電圧ＶＧＨ、および走査信号Ｇ１〜Ｇｍ等（後述の第１〜第４エリア走査信号Ｇａ１〜Ｇａ４を含む）の波形図である。ここで、ゲートオフ電圧ＶＧＬは、非選択状態とすべき走査信号線に印加される非アクティブな走査信号の電圧であり、ゲートオン電圧ＶＧＨは、選択状態とすべき走査信号線に印加されるアクティブな走査信号の電圧である（以下に述べる他の実施形態や変形例においても同様）。【００４０】  本実施形態においても、従来と同様、表示ＯＮシーケンスの開始を示す表示ＯＮ信号Ｓｏｎがアクティブ（ハイレベル）となってから、垂直同期信号ＶＳＹに同期して各種の信号が変化することで表示ＯＮシーケンスが実行される。すなわち、表示ＯＮ信号Ｓｏｎがアクティブとなってから最初に垂直同期信号ＶＳＹがアクティブ（ローレベル）になるときにゲートオフ電圧ＶＧＬが本来の電圧（ＴＦＴ１０をオフ状態とする所定の低電圧）となり、その後１フレーム期間Ｔ１だけ経過した時点（次に垂直同期信号がアクティブとなる時点）でゲートオン電圧ＶＧＨが本来の電圧（ＴＦＴ１０をオン状態とする所定の高電圧）になると共に、予定外の黒い画面（ノーマリ・ホワイトの場合）または白い画面（ノーマリ・ブラックの場合）が表示されることを防止するために、全ての走査信号Ｇ１〜Ｇｍがゲートオン電圧（アクティブ）となることで全ての走査信号線ＧＬ１〜ＧＬｍが選択状態とされる。このように表示ＯＮシーケンスで全ての走査信号線ＧＬ１〜ＧＬｍが選択状態となっているときには、各画素形成部ＰｘにおけるＴＦＴ１０はオン状態となっており、従来と同様、各画素形成部Ｐｘ内の液晶容量Ｃｌｃおよび補助容量Ｃｓに蓄積された電荷はデータ信号線ＤＬｋを介して放電される。したがって、このときデータ信号線駆動回路３００は、各データ信号線ＤＬ１〜ＤＬｎが共通電極Ｅｃおよび補助電極Ｅｓと同電位となるように各データ信号線ＤＬ１〜ＤＬｎを駆動し、放電部として機能する。【００４１】  その後、数フレーム期間に相当する期間Ｔ２が経過した後に、全ての走査信号Ｇ１〜Ｇｍがゲートオフ電圧（非アクティブ）となることで全ての走査信号線ＧＬ１〜ＧＬｍが非選択状態とされる。このとき、全ての走査信号線が同時に非選択状態となる従来例とは異なり、以下に述べるように４回に分けて段階的に走査信号線ＧＬ１〜ＧＬｍが非選択状態とされる。【００４２】  本実施形態では、図３（Ｈ）に示すように液晶パネル５００をエリア１〜エリア４の４つのエリアに区分し、この区分に基づき４回に分けて１水平走査期間の間隔で段階的に走査信号線ＧＬ１〜ＧＬｍを非選択状態とする。すなわち、エリア１に含まれる走査信号線に印加される走査信号Ｇ１〜Ｇｍａを総称的に「第１エリア走査信号」と呼び、記号“Ｇａ１”で示し、エリア２に含まれる走査信号線に印加される走査信号Ｇｍａ＋１〜Ｇｍｂを総称的に「第２エリア走査信号」と呼び、記号“Ｇａ２”で示し、エリア３に含まれる走査信号線に印加される走査信号Ｇｍｂ＋１〜Ｇｍｃを総称的に「第３エリア走査信号」と呼び、記号“Ｇａ３”で示し、エリア４に含まれる走査信号線に印加される走査信号Ｇｍｃ＋１〜Ｇｍを総称的に「第４エリア走査信号」と呼び、記号“Ｇａ４”で示すものとしたとき、第１〜第４エリア走査信号Ｇａ１〜Ｇａ４の電圧を次のように変化させる。【００４３】  上記期間Ｔ２の経過後において、図３（Ｈ）に示すように、最初に水平同期信号ＨＳＹがアクティブ（ローレベル）となるときに第１エリア走査信号Ｇａ１をゲートオン電圧（アクティブ）からゲートオフ電圧（非アクティブ）へと変化させ、２番目に水平同期信号ＨＳＹがアクティブとなるときに第２エリア走査信号Ｇａ２をゲートオン電圧からゲートオフ電圧へと変化させ、３番目に水平同期信号ＨＳＹがアクティブとなるときに第３エリア走査信号Ｇａ３をゲートオン電圧からゲートオフ電圧へと変化させ、４番目に水平同期信号ＨＳＹがアクティブとなるときに第４エリア走査信号Ｇａ４をゲートオン電圧からゲートオフ電圧へと変化させる。【００４４】  このようにして一旦選択状態となった全ての走査信号線ＧＬ１〜ＧＬｍが１水平走査期間の間隔で４回に分けて段階的に非選択状態となり、その後、表示を行うための走査信号線ＧＬ１〜ＧＬｍの順次的な選択すなわち走査が開始される。【００４５】  なお、上記説明では液晶パネル５００が４つのエリアに区分されるが、「４つ」は例示であり、各エリアに含まれる走査信号線の数が１以上であれば、液晶パネル５００の区分数は４つには限定されない。また、エリア毎に走査信号線を選択状態から非選択状態とする順序（印加電圧をゲートオン電圧からゲートオフ電圧へと変化させる順序）は複数のエリアを同時に非選択状態としなければ、どのような順番であってもよい。例えば図４に示すように、第１〜第４エリア走査信号Ｇａ１〜Ｇａ４を、Ｇａ１→Ｇａ３→Ｇａ２→Ｇａ４という順序で選択状態から非選択状態に変化させてもよい。【００４６】＜１．３  走査信号線駆動回路の構成＞
次に図５を参照して、表示ＯＮシーケンスにおいて一旦選択状態となった全ての走査信号線ＧＬ１〜ＧＬｍを上記のように段階的に非選択状態とする走査信号線駆動回路４００の構成を説明する。図５は、本実施形態における走査信号線駆動回路４００の一構成例を示すブロック図である。この構成例による走査信号線駆動回路４００は、ｍ個のフリップフロップＦＦ１〜ＦＦｍからなるｍ段のシフトレジスタ３５と、このシフトレジスタ３５の各段の出力レベルを変換して走査信号Ｇ１〜Ｇｍを生成するレベル変換器３６と、表示ＯＮ信号Ｓｏｎおよび垂直同期信号ＶＳＹから選択制御信号Ｇｏｎおよび非選択制御信号Ｇｏｆｆを生成する第１の論理回路３１と、水平同期信号ＨＳＹおよび垂直同期信号ＶＳＹからシフトレジスタ３５を動作させるためのクロック信号ＧＣＫおよびスタートパルス信号ＧＳＰを生成する第２の論理回路３２と、非選択制御信号Ｇｏｆｆおよび水平同期信号ＨＳＹからシフトレジスタ３５内のフリップフロップＦＦ１〜ＦＦｍをリセットするためのリセット信号Ｒ１〜Ｒ４を生成するリセット信号生成回路３３とを備えている。ここで、選択制御信号Ｇｏｎは、図３（Ｃ）に示すように表示ＯＮシーケンスにおいて（表示ＯＮ信号Ｓｏｎがハイレベルとなった時点以降において）走査信号線ＧＬ１〜ＧＬｍを選択状態とすべき期間Ｔ２にアクティブ（ハイレベル）となる信号であり、非選択制御信号Ｇｏｆｆは、図３（Ｄ）に示すように表示ＯＮシーケンスにおいて一旦選択状態となった走査信号線ＧＬ１〜ＧＬｍを段階的に非選択状態とするための期間にアクティブ（ハイレベル）となる信号である。そして選択制御信号Ｇｏｎは、シフトレジスタ３５における各フリップフロップＦＦ１〜ＦＦｍにセット信号として入力され、選択制御信号Ｇｏｎがアクティブとなる期間Ｔ２において各フリップフロップＦＦ１〜ＦＦｍがセット状態とされる（シフトレジスタ３５の各段の出力Ｑ１〜Ｑｍがハイレベルとなる）。【００４７】  上記構成において、レベル変換器３６は、シフトレジスタ３５の各段の出力Ｑｋがハイレベルのときにゲートオン電圧ＶＧＨを走査信号Ｇｋとして出力し、各段の出力Ｑｋがローレベルのときにゲートオフ電圧ＶＧＬを走査信号Ｇｋとして出力する（ｋ＝１〜ｍ）。また、上記の液晶パネル５００の区分けに基づく第１〜第４エリア走査信号Ｇａ１〜Ｇａ４に応じて、シフトレジスタ３５内のフリップフロップＦＦ１〜ＦＦｍは、第１の組のフリップフロップ群ＦＦ１〜ＦＦｍａと、第２の組のフリップフロップ群ＦＦｍａ＋１〜ＦＦｍｂと、第３の組のフリップフロップ群ＦＦｍｂ＋１〜ＦＦｍｃと、第４の組のフリップフロップ群ＦＦｍｃ＋１〜ＦＦｍという４組にグループ化されている。そして、リセット信号生成回路３３にて生成されるリセット信号Ｒ１〜Ｒ４のうち、第１のリセット信号Ｒ１は第１の組のフリップフロップ群ＦＦ１〜ＦＦｍａのリセット信号として、第２のリセット信号Ｒ２は第２の組のフリップフロップ群ＦＦｍａ＋１〜ＦＦｍｂのリセット信号として、第３のリセット信号Ｒ３は第３の組のフリップフロップ群ＦＦｍｂ＋１〜ＦＦｍｃのリセット信号として、第４のリセット信号Ｒ４は第４の組のフリップフロップ群ＦＦｍｃ＋１〜ＦＦ���のリセット信号として、それぞれシフトレジスタ３５に入力される。【００４８】  ここで、第１〜第４のリセット信号Ｒ１〜Ｒ４は、図３（Ｇ）〜（Ｉ）に示すように、表示ＯＮシーケンスにおける上記期間Ｔ２（全走査信号線が選択状態である期間）の経過後においてそれぞれ第１〜第４番目に水平同期信号ＨＳＹがアクティブ（ローレベル）になるときに非アクティブ（ローレベル）からアクティブ（ハイレベル）へと変化し、その後は走査の開始まで（非選択制御信号Ｇｏｆｆがアクティブである間）アクティブ状態を維持する信号である。したがって、上記第１〜第４のリセット信号Ｒ１〜Ｒ４によってシフトレジスタ３５における第１〜第４の組のフリップフロップ群ＦＦ１〜ＦＦｍａ，ＦＦｍａ＋１〜ＦＦｍｂ，ＦＦｍｂ＋１〜ＦＦｍｃ，ＦＦｍｃ＋１〜ＦＦｍが順にリセットされ、これにより、第１〜第４のエリア走査信号Ｇａ１〜Ｇａ４の電圧が図３（Ｈ）に示すように１水平走査期間の間隔で順次ゲートオン電圧からゲートオフ電圧へと変化する。これにより、液晶パネル５００における走査信号線ＧＬ１〜ＧＬｍが、４回に分けて段階的に選択状態から非選択状態へと遷移する。【００４９】  上記のように、第１の論理回路３１で生成される選択制御信号Ｇｏｎによって各フリップフロップＦＦ１〜ＦＦｍがセットされることで、全ての走査信号線ＧＬ１〜ＧＬｍが選択状態となり、その後に、第１の論理回路３１で生成される非選択制御信号Ｇｏｆｆに基づきリセット信号生成回路３３で生成される第１〜第４のリセット信号Ｒ１〜Ｒ４によってフリップフロップＦＦ１〜ＦＦｍが段階的にリセットされることで、走査信号線ＧＬ１〜ＧＬｍが段階的に非選択状態となる。したがって本構成例では、第１の論理回路３１とｍ個のフリップフロップＦＦ１〜ＦＦｍは、走査信号線ＧＬ１〜ＧＬｍを選択状態とする選択設定部として機能し、第１の論理回路３１とリセット信号生成回路３３とｍ個のフリップフロップＦＦ１〜ＦＦｍは、選択状態の走査信号線ＧＬ１〜ＧＬｍを段階的に非選択状態とする選択解除部として機能している。【００５０】  なお、本実施形態における走査信号線駆動回路４００は、表示ＯＮシーケンスにおいて図３（Ｈ）または図４（Ｂ）に示す第１〜第４エリア走査信号Ｇａ１〜Ｇａ４のように液晶パネル５００の走査信号線ＧＬ１〜ＧＬｍを一旦選択状態とした後に段階的に非選択状態とする走査信号を生成できる構成であればよく、図５に示す上記構成に限定されるものではない。【００５１】＜１．４  効果＞
上記のように本実施形態によれば、液晶表示装置の起動時における表示ＯＮシーケンスにおいて液晶パネル５００における全ての走査信号線ＧＬ１〜ＧＬｍが一旦選択状態となって各画素形成部Ｐｘ内の液晶容量Ｃｌｃと補助容量Ｃｓにおける電荷が放電された後に、走査信号線ＧＬ１〜ＧＬｍが複数回（図３等に示した例では４回）に分けて段階的に非選択状態となる。このため、液晶パネル５００における走査信号線ＧＬ１〜ＧＬｍを同時に非選択状態としていた従来技術とは異なり、印加電圧がゲートオン電圧からゲートオフ電圧へと同時に変化する走査信号線の数は格段に少なくなるので、走査信号線駆動回路４００を構成するバルク（シリコン基板）に過大な電流が流れることはない。したがって、走査信号線ＧＬ１〜ＧＬｍを非選択状態とする際に走査信号線駆動回路４００内のバルクに流れる電流による電源電位の変動を抑制し、ラッチアップの発生等による走査信号線駆動回路４００の誤動作を防止することができる。【００５２】  なお、上記実施形態では、液晶パネル５００における走査信号線ＧＬ１〜ＧＬｍが４組の走査信号線群にグループ化され、それに応じて走査信号線ＧＬ１〜ＧＬｍが４回に分けて段階的に非選択状態とされるが、このグループ化の組数を多くすることにより上記誤動作防止の効果を大きくすることができる。しかし、このグループ化の組数が多くなると、走査信号線ＧＬ１〜ＧＬｍを段階的に非選択状態とするための選択解除部の構成が複雑化するので、効果と構成の両者を考慮してグループ化の組数を適切に設定するのが好ましい。この点は、以下に述べる他の実施形態においても同様である。また、上記実施形態では、液晶パネル５００内の各画素形成部Ｐｘにおいて画素電極Ｅｐと補助電極Ｅｓにより補助容量Ｃｓが形成されているが、補助電極Ｅｓがなく補助容量Ｃｓが形成されない構成であってもよい。この点も、以下に述べる他の実施形態において同様である。【００５３】＜２．第２の実施形態＞
次に、本発明の第２の実施形態に係る液晶表示装置について説明する。この液晶表示装置の全体構成は上記第１の実施形態と同様であるが、表示ＯＮシーケンスにおいて一旦選択状態とされた走査信号線を非選択状態とするときの動作およびそのための走査信号線駆動回路の構成については上記第１の実施形態と相違する。そこで以下では、これらの相違点を中心に本実施形態を説明する。なお、第１の実施形態に係る液晶表示装置のうち第２の実施形態に係る液晶表示装置と同一または対応する部分には同一の参照符号を付すものとする。【００５４】＜２．１  表示ＯＮシーケンス＞
図６は、液晶表示装置を起動した直後の垂直同期信号ＶＳＹ、ゲートオフ電圧ＶＧＬ、ゲートオン電圧ＶＧＨ、および走査信号（第１〜第４エリア走査信号Ｇａ１〜Ｇａ４）等の波形図である。本実施形態においても、表示ＯＮシーケンスにおいて液晶パネル５００における全ての走査信号線ＧＬ１〜ＧＬｍが一旦選択状態となって各画素形成部Ｐｘ内の液晶容量Ｃｌｃおよび補助容量Ｃｓにおける蓄積電荷が放電された後に、走査信号線が複数回に分けて段階的に非選択状態とされる。【００５５】  本実施形態においても、図３（Ｈ）に示すように液晶パネル５００がエリア１〜エリア４の４つのエリアに区分され、図６（Ｇ）に示すように、この区分に基づき４回に分けて段階的に走査信号線が非選択状態とされる。しかし、１水平走査期間の間隔で段階的に非選択状態とされる第１の実施形態とは異なり、本実施形態では、１垂直走査期間（１フレーム期間）の間隔で段階的に非選択状態とされる。すなわち、第１の実施形態と同様に第１〜第４エリア走査信号Ｇａ１〜Ｇａ４を定義したとき、本実施形態では、数フレーム期間に相当する期間Ｔ２だけ液晶パネル５００における全ての走査信号線ＧＬ１〜ＧＬｍを選択状態とした後に、第１〜第４エリア走査信号Ｇａ１〜Ｇａ４の電圧を次のように変化させる。【００５６】  全ての走査信号線ＧＬ１〜ＧＬｍが選択状態となる上記期間Ｔ２の経過後において、最初に垂直同期信号ＶＳＹがアクティブ（ローレベル）となるときに第１エリア走査信号Ｇａ１をゲートオン電圧（アクティブ）からゲートオフ電圧（非アクティブ）へと変化させ、２番目に垂直同期信号ＶＳＹがアクティブとなるときに第２エリア走査信号Ｇａ２をゲートオン電圧からゲートオフ電圧へと変化させ、３番目に垂直同期信号ＶＳＹがアクティブとなるときに第３エリア走査信号Ｇａ３をゲートオン電圧からゲートオフ電圧へと変化させ、４番目に垂直同期信号ＶＳＹがアクティブとなるときに第４エリア走査信号Ｇａ４をゲートオン電圧からゲートオフ電圧へと変化させる。【００５７】  このようにして一旦選択状態となった全ての走査信号線ＧＬ１〜ＧＬｍが１垂直走査期間の間隔で４回に分けて段階的に非選択状態となり、その後、表示を行うための走査信号線ＧＬ１〜ＧＬｍの順次的な選択すなわち走査が開始される。【００５８】  なお、上記説明では液晶パネル５００が４つのエリアに区分されるが、第１の実施形態と同様、「４つ」は例示であり、各エリアに含まれる走査信号線の数が１以上であれば、液晶パネル５００の区分数は４つには限定されない。また、エリア毎に走査信号線を選択状態から非選択状態とする順序（印加電圧をゲートオン電圧からゲートオフ電圧へと変化させる順序）は複数のエリアを同時に非選択状態としなければ、どのような順番であってもよい。【００５９】＜２．２  走査信号線駆動回路の構成＞
図７は、本実施形態における走査信号線駆動回路４００の一構成例を示すブロック図である。この構成例による走査信号線駆動回路４００では、非選択制御信号Ｇｏｆｆおよび水平同期信号ＨＳＹからリセット信号Ｒ１〜Ｒ４が生成されていた図５の構成と異なり、リセット信号生成回路３３ｂは、走査信号線ＧＬ１〜ＧＬｍを１垂直走査期間の間隔で段階的に非選択状態とすべく、非選択制御信号Ｇｏｆｆおよび垂直同期信号ＶＳＹからリセット信号Ｒ１〜Ｒ４を生成する。図７の構成におけるその他の点については図５の構成と同様であるので、同一または対応する部分に同一の参照符号を付して説明を省略する。【００６０】  この構成例における第１〜第４のリセット信号Ｒ１〜Ｒ４は、図６（Ｈ）に示すように、表示ＯＮシーケンスにおける上記期間Ｔ２の経過後においてそれぞれ第１〜第４番目に垂直同期信号ＶＳＹがアクティブ（ローレベル）になるときに非アクティブ（ローレベル）からアクティブ（ハイレベル）へと変化し、その後は走査の開始まで（非選択制御信号Ｇｏｆｆがアクティブである間）アクティブ状態を維持する信号である。このため、非選択制御信号Ｇｏｆｆは、図６（Ｄ）に示すように、上記期間Ｔ２の経過後に４垂直走査期間よりも長い期間だけアクティブ（ハイレベル）となる信号として生成される。このような第１〜第４のリセット信号Ｒ１〜Ｒ４によってシフトレジスタ３５における第１〜第４の組のフリップフロップ群ＦＦ１〜ＦＦｍａ，ＦＦｍａ＋１〜ＦＦｍｂ，ＦＦｍｂ＋１〜ＦＦｍｃ，ＦＦｍｃ＋１〜ＦＦｍが順にリセットされることで、第１〜第４のエリア走査信号Ｇａ１〜Ｇａ４が図６（Ｇ）に示すように１垂直走査期間の間隔で順次ゲートオン電圧からゲートオフ電圧へと変化し、これにより、液晶パネル５００における走査信号線ＧＬ１〜ＧＬｍが、４回に分けて段階的に選択状態から非選択状態へと遷移する。【００６１】  なお、本実施形態における走査信号線駆動回路４００の構成は、表示ＯＮシーケンスにおいて図６（Ｇ）に示す第１〜第４エリア走査信号Ｇａ１〜Ｇａ４のように液晶パネル５００における走査信号線を一旦選択状態とした後に段階的に非選択状態とする走査信号を生成できる構成であればよく、図７に示す上記構成に限定されるものではない。【００６２】＜２．３  効果＞
上記のように本実施形態によれば、第１の実施形態と同様、液晶表示装置の起動時における表示ＯＮシーケンスにおいて液晶パネル５００における全ての走査信号線ＧＬ１〜ＧＬｍが一旦選択状態となって各画素形成部Ｐｘ内の液晶容量Ｃｌｃおよび補助容量Ｃｓにおける蓄積電荷が放電された後に、走査信号線ＧＬ１〜ＧＬｍが複数回（図６に示した例では４回）に分けて段階的に非選択状態となる。このため、液晶パネル５００における走査信号線を同時に非選択状態としていた従来技術とは異なり、印加電圧がゲートオン電圧からゲートオフ電圧へと同時に変化する走査信号線の数は格段に少なくなるので、走査信号線駆動回路４００内のバルクに過大な電流が流れることはない。したがって、走査信号線ＧＬ１〜ＧＬｍを非選択状態とする際に走査信号線駆動回路４００内のバルクに流れる電流による電源電位の変動を抑制し、ラッチアップの発生等による走査信号線駆動回路４００の誤動作を防止することができる。【００６３】  なお、本実施形態では、全ての走査信号線が１垂直走査期間の間隔で段階的に非選択状態となるので、第１の実施形態に比べ、表示ＯＮシーケンスの期間が長くなるが、当該シーケンスは単純なものとなる。したがって、表示の開始を早くするには第１の実施形態の方が好ましいが、本実施形態によれば、走査信号線を段階的に非選択状態とするための選択解除部の実現が第１の実施形態に比べて容易となる。【００６４】＜３．第３の実施形態＞
上記第１および第２の実施形態の走査信号線駆動回路４００の構成として図５または図７に示した構成では、表示ＯＮシーケンスで一旦選択状態となった走査信号線を段階的に非選択状態とするためにシフトレジスタ３５内のフリップフロップがリセット信号Ｒ１〜Ｒ４によって段階的にリセットされるが、これに代えて、シフトレジスタに入力すべきスタートパルス信号を変更することで走査信号線を段階的に非選択状態にするようにしてもよい。以下、第３の実施形態として、このような走査信号線駆動回路を備えた液晶表示装置について説明する。ただし、走査信号線駆動回路以外の構成については、第１の実施形態と同様であるので同一または対応する部分に同一の参照符号を付して説明を省略する。【００６５】  図８は、本実施形態における走査信号線駆動回路の一構成例を示すブロック図である。この構成例による走査信号線駆動回路４００は、図５または図７に示した構成と同様、ｍ個のフリップフロップＦＦ１〜ＦＦｍからなるｍ段のシフトレジスタ３５と、このシフトレジスタ３５の各段の出力レベルを変換して走査信号Ｇ１〜Ｇｍを生成するレベル変換器３６と、表示ＯＮ信号Ｓｏｎおよび垂直同期信号ＶＳＹから選択制御信号Ｇｏｎおよび非選択制御信号Ｇｏｆｆを生成する第１の論理回路３１と、水平同期信号ＨＳＹおよび垂直同期信号ＶＳＹからシフトレジスタ３５を動作させるためのクロック信号ＧＣＫおよびスタートパルス信号ＧＳＰを生成する第２の論理回路３２とを備えているが、リセット信号生成回路を含まず、一方、非選択制御信号Ｇｏｆｆの論理反転信号とスタートパルス信号ＧＳＰとの論理積の信号を生成するＡＮＤゲート３８を含んでいる。【００６６】  ここで、非選択制御信号Ｇｏｆｆは、表示ＯＮシーケンスにおいて一旦選択状態となった走査信号線を段階的に非選択状態とするための期間にアクティブとなる信号であって、この例では、１垂直走査期間の間アクティブ（ハイレベル）となる。したがって、この間、シフトレジスタ３５に入力されるスタートパルス信号としてのＡＮＤゲート３８の出力信号はローレベルとなるので、１水平走査期間をパルス周期とするクロック信号ＧＣＫに基づき、シフトレジスタ３５の出力Ｑ１〜Ｑｍがハイレベルからローレベルへと順次変化していく。これに応じて走査信号Ｇ１〜Ｇｍはゲートオン電圧からゲートオフ電圧へと順次変化していくので、液晶パネル５００における走査信号線ＧＬ１〜ＧＬｍは、当該１垂直走査期間において、１水平走査期間の間隔で１本ずつ順次に非選択状態となる。【００６７】  このようにして表示ＯＮシーケンスにおいて液晶パネル５００における走査信号線を１本ずつ順次に非選択状態とすることで、走査信号線駆動回路４００内のシフトレジスタ３５に対するリセット信号を生成することなく、上記第１および第２の実施形態と同様の効果を得ることができる。【００６８】＜４．第４の実施形態＞
上記第１および第２の実施形態では、表示ＯＮシーケンスにおいて、液晶パネル５００における走査信号線ＧＬ１〜ＧＬｍが一旦、選択状態とされた後、表示のための走査信号線ＧＬ１〜ＧＬｍの順次的な選択すなわち走査を開始する前に、走査信号線ＧＬ１〜ＧＬｍを同時に非選択状態とせずに段階的に非選択状態とすることで、走査信号線駆動回路４００を構成するバルク（シリコン基板）に流れる電流による電源電位の変動を抑制している。しかし、表示ＯＮシーケンスの開始直後には、図３、図４、および図６に示すように、液晶パネル５００における走査信号線ＧＬ１〜ＧＬｍが同時に非選択状態から選択状態とされる。このように表示ＯＮシーケンスにおいて走査信号線ＧＬ１〜ＧＬｍが同時に選択状態とされる際にも、走査信号線駆動回路４００を構成するバルク（シリコン基板）に過大な電流が流れて電源電位が変動することによって、走査信号線駆動回路が誤動作を起こす可能性も考えられる。したがって、このように表示ＯＮシーケンスにおいて走査信号線ＧＬ１〜ＧＬｍが選択状態とされる際の電源電位の変動による誤動作を防止するために、走査信号線ＧＬ１〜ＧＬｍが段階的に選択状態とされるように選択設定部を構成するのが好ましい。以下、第４の実施形態として、このような選択設定部を含む走査信号線駆動回路を備えた液晶表示装置について説明する。ただし、走査信号線駆動回路以外の構成については、第１の実施形態と同様であるので同一または対応する部分に同一の参照符号を付して説明を省略する。【００６９】  例えば上記第１の実施形態では、図３に示すように、非選択制御信号Ｇｏｆｆがアクティブ（ハイレベル）である期間において、走査信号線ＧＬ１〜ＧＬｍが４回に分けて１水平走査期間の間隔で段階的に非選択状態とされるが、これに加えて、図９に示すように、選択制御信号Ｇｏｎがアクティブ（ハイレベル）となったときに、走査信号線ＧＬ１〜ＧＬｍが４回に分けて１水平走査期間の間隔で段階的に非選択状態から選択状態とされるようにしてもよい。【００７０】  図１０は、表示ＯＮシーケンスにおいてこのような動作を行う本実施形態における走査信号線駆動回路の一構成例を示している。この構成例による走査信号線駆動回路は、第１〜第４のリセット信号Ｒ１〜Ｒ４（図９（Ｊ））を生成するリセット信号生成回路３３のみならず、当該走査信号線駆動回路内のシフトレジスタを構成するフリップフロップを段階的にセットするための第１〜第４のセット信号Ｓ１〜Ｓ４を生成するセット信号生成回路３３ｃを備えている。その他の構成は図５に示した構成の走査信号線駆動回路と同様であるので、同一部分に同一の参照符号を付して説明を省略する。【００７１】  この構成例では、シフトレジスタ３５内の各フリップフロップＦＦ１〜ＦＦｍには、セット信号として選択制御信号Ｇｏｎが入力されるのではなく、フリップフロップＦＦ１〜ＦＦｍのうち、第１の組のフリップフロップ群ＦＦ１〜ＦＦｍａには第１のセット信号Ｓ１が、第２の組のフリップフロップ群ＦＦｍａ＋１〜ＦＦｍｂには第２のセット信号Ｓ２が、第３の組のフリップフロップ群ＦＦｍｂ＋１〜ＦＦｍｃには第３のセット信号Ｓ３が、第４の組のフリップフロップ群ＦＦｍｃ＋１〜ＦＦｍには第４のセット信号Ｓ４が、それぞれ入力される。セット信号生成回路３３ｃは、これらの第１〜第４のセット信号Ｓ１〜Ｓ４として、図９（Ｉ）に示すように１水平走査期間毎に順次アクティブとなる信号を生成する。すなわち、第１〜第４のセット信号Ｓ１〜Ｓ４は、表示ＯＮシーケンスが開始され、全ての走査信号線ＧＬ１〜ＧＬｍが非選択状態（ゲートオフ電圧ＶＧＬ）となり、選択制御信号Ｇｏｎがアクティブ（ハイレベル）となった後において、それぞれ第１〜第４番目に水平同期信号ＨＳＹがアクティブ（ローレベル）になるときに非アクティブ（ローレベル）からアクティブ（ハイレベル）へと変化する。その後、これらのセット信号Ｓ１〜Ｓ４は、選択制御信号Ｇｏｎがアクティブである間はアクティブ状態を維持し、選択制御信号Ｇｏｎが非アクティブになると非アクティブとなる。このような第１〜第４のセット信号Ｓ１〜Ｓ４によってシフトレジスタ３５における第１〜第４の組のフリップフロップ群ＦＦ１〜ＦＦｍａ，ＦＦｍａ＋１〜ＦＦｍｂ，ＦＦｍｂ＋１〜ＦＦｍｃ，ＦＦｍｃ＋１〜ＦＦｍが順にセットされ、これにより、第１〜第４のエリア走査信号Ｇａ１〜Ｇａ４（図３参照）の電圧が図９（Ｈ）に示すように１水平走査期間の間隔で順次ゲートオフ電圧からゲートオン電圧へと変化する。これにより、液晶パネル５００における走査信号線ＧＬ１〜ＧＬｍが４回に分けて段階的に非選択状態から選択状態へと遷移する。【００７２】  したがって、上記構成の走査信号線駆動回路を備えた本実施形態に係る液晶表示装置によれば、液晶パネル５００における走査信号線ＧＬ１〜ＧＬｍを表示ＯＮシーケンスで同時に選択状態としていた従来技術とは異なり、印加電圧がゲートオフ電圧からゲートオン電圧へと同時に変化する走査信号線の数は格段に少なくなるので、走査信号線駆動回路４００を構成するバルク（シリコン基板）に過大な電流が流れることはない。よって、表示ＯＮシーケンスにおいて走査信号線ＧＬ１〜ＧＬｍを非選択状態とする際のみならず選択状態とする際においても、走査信号線駆動回路４００内のバルクに流れる電流による電源電位の変動が抑制されるので、ラッチアップの発生等による走査信号線駆動回路４００の誤動作をより確実に防止することができる。【００７３】  なお、上記構成では、液晶パネル５００における走査信号線ＧＬ１〜ＧＬｍを４つのエリアに対応する４つの組にグループ分けし、１組ずつ（エリア毎に）段階的に選択状態とされるが、「４つ」は例示であり、各エリアに含まれる走査信号線の数が１以上であれば、液晶パネル５００の区分数は４つには限定されない。また、エリア毎に走査信号線を非選択状態から選択状態とする順序（印加電圧をゲートオフ電圧からゲートオン電圧へと変化させる順序）は複数のエリアを同時に選択状態としなければ、どのような順番であってもよい。さらに、上記構成では、走査信号線ＧＬ１〜ＧＬｍが１水平走査期間の間隔で段階的に選択状態とされるが、この間隔も限定されるものではなく、走査信号線ＧＬ１〜ＧＬｍが例えば１垂直走査期間（１フレーム期間）の間隔で段階的に選択状態とされる構成であってもよい。
【図１】
2006085555.tif 000002
【図２】
2006085555.tif 000003
【図３】
2006085555.tif 000004
【図４】
2006085555.tif 000005
【図５】
2006085555.tif 000006
【図６】
2006085555.tif 000007
【図７】
2006085555.tif 000008
【図８】
2006085555.tif 000009
【図９】
2006085555.tif 000010
【図１０】
2006085555.tif 000011
【図１１】
2006085555.tif 000012
【図１２】
2006085555.tif 000013
【手続補正書】
【提出日】平成19年7月31日(2007.7.31)
【手続補正１】
【補正対象書類名】特許請求の範囲
【補正対象項目名】請求項１
【補正方法】変更
【補正の内容】
【請求項１】
複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行う駆動回路であって、
前記液晶表示装置での表示の開始を指示する信号を受け取ると、前記複数の走査信号線を選択状態とする選択設定部と、
前記選択設定部によって前記複数の走査信号線が選択状態とされているときに、前記複数の画素形成部内の前記容量に蓄積された電荷を前記複数のデータ信号線を介して放電させる放電部と、
前記蓄積された電荷の前記放電部による放電の後、前記複数の走査信号線の順次的な選択が開始される前に、前記選択設定部により選択状態とされた前記複数の走査信号線を段階的に非選択状態とする選択解除部とを備えることを特徴とする駆動回路。
【手続補正２】
【補正対象書類名】明細書
【補正対象項目名】００１０
【補正方法】変更
【補正の内容】
【００１０】
本発明の第１の局面は、複数のデータ信号線と、前記複数のデータ信号線と交差する複数の走査信号線と、前記複数のデータ信号線と前記複数の走査信号線との交差点にそれぞれに対応してマトリクス状に配置された複数の画素形成部とを備え、各画素形成部は対応交差点を通過する走査信号線が選択されているときに当該対応交差点を通過するデータ信号線の電圧を取り込んで保持するための容量を有するアクティブマトリクス型の液晶表示装置において、表示すべき画像を表す複数のデータ信号を前記複数のデータ信号線に印加すると共に、当該表示すべき画像を前記複数の画素形成部に形成させるために前記複数の走査信号線の順次的な選択を行う駆動回路であって、
前記液晶表示装置での表示の開始を指示する信号を受け取ると、前記複数の走査信号線を選択状態とする選択設定部と、
前記選択設定部によって前記複数の走査信号線が選択状態とされているときに、前記複数の画素形成部内の前記容量に蓄積された電荷を前記複数のデータ信号線を介して放電させる放電部と、
前記蓄積された電荷の前記放電部による放電の後、前記複数の走査信号線の順次的な選択が開始される前に、前記選択設定部により選択状態とされた前記複数の走査信号線を段階的に非選択状態とする選択解除部とを備えることを特徴とする。
【国際調査報告】
2006085555.tif 000014
2006085555.tif 000015
2006085555.tif 000016
2006085555.tif 000017